(57)【要約】【課題】商品取出口内への雨水の浸入を確実に防止して、信頼性の高い自動販売機の商品取出口装置を提供する。【解決手段】本体１前面を覆う外扉２と、外扉２に設けられ、本体１内から搬出された商品を取り出す商品取出口２０と、商品取出口２０の開口部１４を開閉する取出口扉１９と、を備え、商品取出口２０は左右両側部３１、３２に、取出口扉１９に前方から当接する突設片部３１ａ、３２ａを有し、取出口扉１９は左右両端部に後方に向かって段差を設けて形成した当接面部１９ｂを有し、商品取出口２０の開口部１４が取出口扉１９により閉じられるとき、商品取出口２０の突設片部３１ａ、３２ａと取出口扉１９の当接面部１９ｂが、重なって当接する。【選択図】 図６
2008003827.tif 000002
【特許請求の範囲】
【請求項１】
本体前面を覆う外扉と、前記外扉に設けられ、前記本体内から搬出された商品を取り出す商品取出口と、前記商品取出口の開口部を開閉する取出口扉と、を備え、
前記商品取出口は左右両側部に、前記取出口扉に前方から当接する突設片部を有し、前記取出口扉は左右両端部に後方に向かって段差を設けて形成した当接面部を有し、
前記商品取出口の開口部が前記取出口扉により閉じられるとき、前記商品取出口の突設片部と前記取出口扉の当接面部が、重なって当接することを特徴とする自動販売機の商品取出口装置。
【請求項２】
前記商品取出口の開口部が前記取出口扉により閉じられるとき、前記商品取出口の突設片部と前記取出口扉の当接面部が重なって当接し、前記取出口扉の前面側に前記突設片部に沿って上下方向に延びる溝部が形成されることを特徴とする請求項１に記載の自動販売機の商品取出口装置。
【発明の詳細な説明】
【技術分野】
【０００１】
本発明は、本体内の商品を商品取出口に搬出して販売する自動販売機に関し、特にその商品取出口に雨水等の浸入を防止する防水構造を備えた自動販売機の商品取出口装置に関する。
【背景技術】
【０００２】
従来のこの種の自動販売機としては、特開平１１−１４９５８５号公報に開示されたものが知られている。図７は、この従来の自動販売機の商品取出口に係る要部の構成を模式的に示す側面断面図である。図に示すように、この従来の自動販売機は、その前扉２に前面に開口部を設けるとともに底部に孔１２ｂを形成した釣銭取出口１２と、図示しない商品収納部から搬出された商品を受ける商品受部２０ａを有し、その商品受部２０ａに搬出された商品を取り出す商品取出口２０と、商品取出口２０の前面を覆う商品取出口カバー１９を備え、釣銭取出口１２を商品取出口２０よりも上部に配置し、かつ、この釣銭取出口１２の真下まで商品取出口２０を延出して設けた自動販売機であって、釣銭取出口１２から機内に浸入した雨水を、商品取出口カバー１９の前面側に導いてそれを機外に排出するようにしたものである。
【０００３】
このように構成される従来の自動販売機において、降雨時に釣銭取出口１２の前面から釣銭取出口１２内部に浸入してくる雨水は、この釣銭取出口１２の底部に形成された孔１２ｂより排出され、その雨水がその下方に設けられた商品取出口カバー１９の表面に落下して、この商品取出口カバー１９の表面を伝わり機外に排出される。すなわちこれにより、機内に雨水が滞留することなく排出されるので、機内の湿気の増加を抑制して、商品が湿ったり、内部の部品の発錆を防止することができる。
【特許文献１】特開平１１−１４９５８５号公報
【発明の開示】
【発明が解決しようとする課題】
【０００４】
ところで、このような商品取出口カバー１９を備える商品取出口２０において、商品取出口カバー１９は、商品取出口２０の前面開口部１４を開閉するために前後方向に回動自在に構成されるから、その動作を円滑に行うため、通常はその左右の側端部と商品取出口２０の側壁の間に隙間が設けられている。ここで、商品取出口カバー１９の表面に落下する雨水が多量となる場合や、横殴りの状態で風雨が商品取出口カバー１９に吹き付けられる場合は、これらの雨水が全て下方に伝わって排出されず、その一部が商品取出口カバー１９の側部に設けられる隙間から商品取出口２０内に浸入してしまうことがある。そうすると、上記のような防水構造を備えながらも、商品取出口２０に搬出される商品が濡れたり、湿ったりして商品価値が低下し、あるいは内部の湿度が高くなり部品が発錆し易くなるなどの問題が生じる。
【０００５】
本発明は、このような従来の問題を鑑みて、商品取出口２０内への雨水の浸入を確実に防止して、商品取出口２０に搬出される商品が濡れたり、湿ったりして商品価値が低下しないようにし、あるいはその内部の部品の発錆を抑制することができる自動販売機の商品取出口装置を提供することを目的とする。
【課題を解決するための手段】
【０００６】
上記課題を解決するため、請求項１に係る発明は、本体前面を覆う外扉と、前記外扉に設けられ、前記本体内から搬出された商品を取り出す商品取出口と、前記商品取出口の開口部を開閉する取出口扉とを備え、前記商品取出口は左右両側部に、前記取出口扉に前方から当接する突設片部を有し、前記取出口扉は左右両端部に後方に向かって段差を設けて形成した当接面部を有し、前記商品取出口の開口部が前記取出口扉により閉じられるとき、前記商品取出口の突設片部と前記取出口扉の当接面部が、重なって当接するものである。
【０００７】
これによれば、前記商品取出口の開口部を前記取出口扉により閉じるとき、前記商品取出口の側部と前記取出口扉の両側部との隙間を前記突設片部により確実に塞ぐことができる。また、前記突設片部を前記取出口扉の前面から大きく突出させないで、前記商品取出口の側部と前記取出口扉の両側部との隙間を塞ぐことができる。
請求項２に係る発明は、請求項１に記載の発明において、前記商品取出口の開口部が前記取出口扉により閉じられるとき、前記商品取出口の突設片部と前記取出口扉の当接面部が重なって当接し、前記取出口扉の前面側に前記突設片部に沿って上下方向に延びる溝部が形成されるものである。
【０００８】
これによれば、前記取出口扉の表面を伝って流れる雨水がその側方に向かう場合に、前記溝部によりそれを下方に向けて案内することができる。
【発明の効果】
【０００９】
以上説明したように請求項１に係る発明によれば、商品取出口の開口部を取出口扉により閉じるとき、商品取出口の側部と取出口扉の側部との隙間を突設片部により確実に塞ぐことができるから、取出口扉の表面を伝わって流れる雨水の一部が取出口扉の側部から商品取出口内へ浸入することが防止される。これにより、商品取出口に搬出される商品が濡れたり、湿ったりして商品価値が低下しないようにし、あるいはその内部が多湿状態にならないようにして部品の発錆を抑制することができる。また、突設片部を取出口扉の前面から大きく突出させないで、商品取出口の側部と取出口扉の両側部との隙間を塞ぐことができるから、その概観を見栄え良くすることができる。
【００１０】
また、請求項２に係る発明によれば、取出口扉の表面を伝って流れる雨水がその側方に向かう場合に、突設片部に沿って上下方向に形成される溝部により、それを下方に向けて案内し排出することができるから、雨水が取出口扉の側部から商品取出口内に浸入することが確実に防止され、装置の信頼性を向上させることができる。
【発明を実施するための最良の形態】
【００１１】
本発明に係る好適な実施例について図を参照して説明する。なお、従来と同一または同様の機能を有する構成には同符号を付す。
図１は本発明の実施の形態に係る自動販売機を示す正面図、図２は本発明の実施の形態に係る自動販売機において外扉を開いた状態を示す内部構造斜視図である。
図１、図２に示すように、この自動販売機は、販売商品を収納する商品収納コラム５を内部に備えて前面を開口した本体１と、本体１の前面開口を開閉自在に閉塞する前扉（外扉）２とを備えている。また、前扉２の背面側には、その背面を覆うとともにその背面側を開放可能な中扉３が配設されている。
【００１２】
本体１内には、商品収納コラム５が上下段、左右列に並べられて配設されている。この商品収納コラム５は、たばこ等の箱型の商品を上下に積み重ねて収納し、販売指令に基づいてその最下位に収納される商品を順に押し出して搬出するように構成されている。また、本体１内に配置される商品収納コラム５の下方には、各商品収納コラム５から搬出された商品を受容し、後述の商品取出口２０に送出する商品搬出シュート２８が設けられている。
【００１３】
前扉２の前面には、その内部に展示される商品見本１５を透明板１６を介して目視可能に配設された展示窓7と、商品見本１５と対応して透明板１６の前面部に配設された商品選択ボタン８と、商品を購入するための金銭を投入する硬貨投入口９および紙幣挿入口１０と、釣銭等を返却する返却レバー１１と、釣銭硬貨等を返却する硬貨返却口１２と、前扉２を開閉するためのハンドルロック１３と、商品収納コラム５から搬出される販売商品を取り出すための取出口扉１９を有する開口部１４と、投入金額や販売情報を表示するための表示器１８等が設けられている。また、前扉２の裏側には、投入された金銭を識別する硬貨識別装置２１や紙幣識別装置２２、投入された硬貨を貯留する硬貨金庫２３、さらに商品収納コラム５から払い出された商品が商品搬出シュート２８を通って搬出される商品取出口２０が設けられている。
【００１４】
前扉２の背面側に設けられた中扉３の前面には、その前面を覆うようにディスプレイパネル２５が設けられ、そのディスプレイパネル２５には、商品見本１５を展示する商品見本展示装置１７が上下方向に複数段に並んで設けられている。また中扉３の背面側には、本体１内の商品収納コラム５と対向して同様の商品収納コラム５が備えられている。  
図３は、本発明の実施の形態に係る自動販売機において、前扉２の下部に設けられた商品取出口２０を背面側から視た斜視構造図、図４は、その商品取出口２０を示す側面断面図で、（ａ）は取出口扉１９が開口部１４を閉じた状態、（ｂ）は取出口扉１９が奥側に揺動されて開口部１４が開かれた状態を示す。
【００１５】
図に示すように、この商品取出口２０は、左右の側壁を成す側板（側部）３１、３２と、底部を形成する底板３４と、天井部を構成する天井板３５とに囲繞されて略箱形状に形成され、その前側に商品を取り出す開口部１４が、その後側に本体１内の商品搬出シュート２８から商品が送入される商品送入部３０が開口して設けられている。また、商品取出口２０内には取出口扉１９と防盗板３８が連結されて設けられている。
【００１６】
ここで、取出口扉１９はその上端側部に支軸１９ａが設けられ、その支軸１９ａを側板３１、３２に設けた軸孔３１ｃ、３２ｃに回動自在に装着し、開口部１４を閉塞する閉塞位置と、開口部１４を開放する開放位置とに揺動可能に吊支されている。また、取出口扉１９の上部にはこれを閉塞位置に向かって回動付勢する付勢ばね４１が設けられ、されに側板３１、３２には、取出口扉１９の前面の左右側端部（左右両端部）とそれぞれ当接してこれを閉塞位置に保持するストッパ部（突設片部）３１ａ、３２ａが取出口扉２０側端に沿って長く設けられている。このような構成により、取出口扉１９は、常時は開口部１４を閉塞する閉塞位置に保持されている。
【００１７】
また防盗板３８は、その上端３８ａが取出口扉１９の下部と連結軸３７により蝶番構造に連結されている。また、防盗板３８の下部は、その左右側方に突設する案内杆部３８ｂが側板３１、３２に設けられた円弧状の案内溝３１ｂ、３２ｂに嵌め込まれて案内され、商品送入部３０の前方を遮る位置と、商品送入部３０の上方に退避する位置に移動可能に構成されている。なお、商品取出口２０内の視認性を確保するため、防盗板３８は取出口扉１９とともにポリカーボネート等の透明材料により形成されることが望ましい。
【００１８】
また、底板３４の中央部には、商品取出口２０内を左右に分割するように仕切部材４３が配設されている。この仕切部材４３は、例えば肘から先の腕を商品取出口２０の内部に潜り込ませることができないようにして、その手先を商品送入部３０を介して本体１内に差し入れて商品を窃取する等の悪戯を防止するものである。
このように構成される本発明の実施の形態に係る自動販売機の販売動作は、次のように行われる。先ず、顧客が硬貨投入口９および紙幣挿入口１０から商品の販売価格に応じた金銭を投入して所望する商品の商品選択ボタン８を操作すると、その商品が収納された商品収納コラム５から商品が商品搬出シュート２８に払い出され、それが商品取出口２０の商品送入部３０を通過して商品取出口２０内に送入される。そして、これを顧客が取出口扉１９を開けて取り出し、商品の販売が行われる。
【００１９】
ここで、このように構成される商品取出口２０において、取出口扉１９は、常時において付勢ばね４１により前方に回動付勢されて、開口部１４を閉塞する閉塞位置に保持される。図５は、取出口扉１９により開口部１４が閉塞された状態の商品取出口２０を前方から視た斜視図、図６は、同様に開口部１４が閉塞された状態の商品取出口２０を示す平面断面図である。図に示すように、取出口扉１９は、その左右両端部に、前面に対して後方に段差を設けるように当接面部１９ｂが形成され、その当接面部１９ｂが側板３１、３２に設けられたストッパ部３１ａ、３２ａと重なるように当接して、閉塞位置に保持される。また、取出口扉１９が閉塞位置に保持されるとき、取出口扉１９において当接面部１９ａが形成された段差部１９ｃとストッパ部３１ａ、３２ａの側端部との間に上下方向に長く延びる溝部４０が形成される。
【００２０】
また、取出口扉１９に連結された防盗番３８は、取出口扉１９が閉塞位置にあるとき図４の（ａ）に示すように、商品送入部３０の前方から離隔した商品取出口２０内の前方に、略水平姿勢で保持されるので、本体１から搬出される商品は、商品送入部３０を支障なく通過して商品取出口２０に搬出される。
また、取出口扉１９が後方に押圧されると、取出口扉１９の左右両端部と商品取出口２０を構成する側板３１、３２との間には隙間が設けられているの、取出口扉１９は円滑に後方に回動する。そして、図４の（ｂ）に示すように開口部１４が開放される位置に回動されるとき、これに連結された防盗板３８は、商品送入部３０の前方を塞ぐ位置に移動し、これにより商品取出口２０の開口部１４から差し入れた手を本体１内に挿入することが困難となり、本体１内に収納される商品の盗難等の悪戯が防止される。
【００２１】
以上のように、本発明に係る自動販売機においては、本体１前面を覆う前扉２と、前扉２に設けられ、本体１内から搬出された商品を取り出す商品取出口２０と、商品取出口２０の開口部１４を開閉する取出口扉１９とを備え、商品取出口２０は左右両側板３１、３２に取出口扉１９に前方から当接するストッパ部３１ａ、３２ｂを有し、取出口扉１９は左右両端部に後方に向かって段差１９ｃを設けて形成した当接面部１９ｂを有し、商品取出口２０の開口部１４が取出口扉１９により閉じられるとき、商品取出口２０のストッパ部３１ａ、３２ａと取出口扉１９の当接面部１９ｂが、重なって当接するものである。
【００２２】
これによれば、商品取出口２０の開口部１４を取出口扉１９により閉じるとき、商品取出口２０の側板３１、３２と取出口扉１９の両側部との隙間をストッパ部３１ａ、３２ａにより確実に塞ぐことができる。したがって、取出口扉１９の表面を伝わって流れる雨水や水滴等が取出口扉１９の側部を周って商品取出口２０内へ浸入することが防止されるから、商品取出口２０に搬出される商品が濡れたり、湿ったりして商品価値が低下しないようにし、あるいはその内部が多湿状態にならないようにして部品の発錆を抑制することができる。また、ストッパ部３１ａ、３２ａを取出口扉１９の前面から大きく突出させないで、商品取出口２０の側板３１、３２と取出口扉１９の両側部との隙間を塞ぐことができるから、取出口扉１９の両側周辺の外観を見栄え良く保つことができる。
【００２３】
また、本発明に係る自動販売機は、商品取出口２０の開口部１４が取出口扉１９により閉じられるとき、商品取出口１９のストッパ部３１ａ、３２ａと取出口扉１９の当接面部１９ｂが重なって当接し、取出口扉１９の前面側にストッパ部３１ａ、３２ａの側端に沿って上下方向に延びる溝部４０が形成されるものであるから、取出口扉１９の表面を伝って流れる雨水等がその側方に向かう場合に、その側部に形成された溝部４０によりそれを下方に向けて案内し、機外に排出することができる。詳述すれば、図４に示すように、商品取出口２０の開口部１４の下部には、取出口扉１９の下端に対応して水受凹部４５が形成されている。取出口扉１９の表面を伝って下方に流れる雨水や、溝部４０により下方に向けて案内される雨水等は、この水受凹部３５に案内されて確実に機外に排出される。このようにして、雨水等が取出口扉１９の側部から商品取出口２０内に浸入することが確実に防止され、装置の信頼性を向上させることができる。
【００２４】
なお、本発明は、言うまでもなく本実施の形態に示す装置にのみ限定されず、その趣旨の包含する範囲で応用変更が可能である。例えば、取出口扉１９や側板３１、３２に設けられるストッパ部３１ａ、３２ａ等の形状は、商品取出口２０の形状や販売する商品の形態に応じて適宜に応用変更することが可能である。
【図面の簡単な説明】
【００２５】
【図１】本発明の実施の形態に係る自動販売機を示す正面図である。
【図２】本発明の実施の形態に係る自動販売機において外扉を開いた状態を示す内部構造斜視図である。
【図３】本発明の実施の形態に係る自動販売機において、前扉の下部に設けられた商品取出口を背面側から視た斜視構造図である。
【図４】本発明の実施の形態に係る自動販売機の商品取出口を示す側面断面図で、（ａ）は取出口扉が開口部を閉じた状態、（ｂ）は取出口扉が奥側に揺動され開口部が開かれた状態を示す。
【図５】本発明の実施の形態に係る自動販売機において、取出口扉により開口部が閉塞された状態の商品取出口を前方から視た斜視図である。
【図６】本発明の実施の形態に係る自動販売機において、取出口扉により開口部が閉塞された状態の商品取出口を示す平面断面図である。
【図７】従来の実施の形態に係る自動販売機の商品取出口に係る要部の構成を模式的に示す側面断面図である。
【符号の説明】
【００２６】
１  本体  
２  前扉（外扉）
１４  開口部
１９  取出口扉
１９ｂ  当接面部
２０  商品取出口
３１  側板（側部）
３１ａ  ストッパ部（突設片部）
３２  側板（側部）
３２ａ  ストッパ部（突設片部）
４０  溝部  
４５  水受凹部
【図１】
2008003827.tif 000003
【図２】
2008003827.tif 000004
【図３】
2008003827.tif 000005
【図４】
2008003827.tif 000006
【図５】
2008003827.tif 000007
【図６】
2008003827.tif 000008
【図７】
2008003827.tif 000009